(57)【要約】  包装システムは、組成物の長期安定性を向上させるために構成される。包装システムは、囲まれた容積を画定する包装容器を含み得る。包装システムはさらに、包装容器が開かれ、または、閉じられることを可能にする取り外し可能なカバーを含み、その結果、包装容器システムは、犠牲組成物と流体連通する主組成物を含むための、密封された、または、密閉可能な容積を含む。主組成物は、１つ以上の揮発性または気体放出材料を含み得、犠牲組成物は、前記囲まれた容積内において、主組成物内の少なくとも１つの揮発性または気体放出成分に取って代わるか、前記少なくとも一つの揮発性または気体放出材料に置き換わる安定化成分を含み得る。犠牲組成物は、密封された内部容積のヘッドスペース内における蒸気または気体の平衡を加速することによって、主組成物の安定性を維持するのに役立つ。
2017512613.tif 000002
【特許請求の範囲】
【請求項１】
包装システムであって、
歯科用機器と少なくとも一つの揮発性または気体放出成分を含む主組成物を含むように構成された、少なくとも一つの区画を画定する、容器および取り外し可能なカバー、および、
前記主組成物から分離し、前記主組成物と流体連通する犠牲組成物を含むように構成された少なくとも一つの領域であって、前記犠牲組成物は、密封された内部容積内において、前記主組成物中の前記少なくとも一つの揮発性または気体放出成分に取って代わるか、前記少なくとも一つの揮発性または気体放出成分と置き換わる、安定化成分を含む、前記少なくとも一つの領域、
を含むことを特徴とする包装システム。
【請求項２】
請求項１の包装システムであって、前記少なくとも一つの区画は、少なくとも一つの揮発性または気体放出成分に対して実質的に不透過性であることを特徴とする包装システム。
【請求項３】
請求項１の包装システムであって、前記容器は、空気、酸素、その他の気体、水蒸気、または揮発性材料の少なくとも一つに対して実質的に不透過性の少なくとも一つの障壁層を含む積層構造と、該積層構造に強度と剛性を提供する、少なくとも一つの構造層とを含むことを特徴とする包装システム。
【請求項４】
請求項３の包装システムであって、前記積層構造は、エチレン−ビニルアルコール共重合体（ＥＶＯＨ）、プロピレン−ビニルアルコール共重合体（ＰＶＯＨ）、ポリ塩化ビニリデン（ＰＶＤＣ）、ポリアミド、ナイロン、ニトリル共重合体、ポリアクリロニトリル（ＰＡＮ）、ポリエチレンテレフタレート（ＰＥＴ）、レゾルシノール、オルモサー、液晶重合体（ＬＣＰｓ）、脂肪族ポリケトン、プラズマガラス塗料、熱硬化性エポキシ塗料、および、ナノコンポジットの群から選択される、酸素分子に対して実質的に不透過性の、少なくとも一つの障壁材料を含むことを特徴とする包装システム。
【請求項５】
請求項３の包装システムであって、前記積層構造は、環状オレフィン重合体（ＣＯＰｓ）、環状オレフィン共重合体（ＣＯＣｓ）、ポリクロロトリフルオロエチレン（ＰＣＴＦＥ）、酸化アルミニウム塗料（ＡｌＯｘ）、塩化ビニリデン共重合体、高密度ポリエチレン（ＨＤＰＥ）、および、ポリプロピレンの群から選択される、水分子に対して実質的に不透過性の、少なくとも一つの障壁材料を含むことを特徴とする包装システム。
【請求項６】
請求項３の包装システムであって、前記積層構造は、ポリオレフィン、ポリエステル、ポリプロピレン（ＰＰ）、ポリエチレン（ＰＥ）、ポリ塩化ビニル（ＰＶＣ）、ポリ二塩化ビニル（ＰＶＤＣ）、エチレン−酢酸ビニル共重合体（ＥＶＡ）、および、グリコール変性ポリエチレンテレフタレート（ＰＥＴＧ）の群から選択される、少なくとも一つの構造重合体を含むことを特徴とする包装システム。
【請求項７】
請求項１の包装システムであって、前記取り外し可能なカバーは、箔、紙、または、積層材料のうちの少なくとも一つを含むことを特徴とする包装システム。
【請求項８】
請求項１の包装システムであって、前記少なくとも一つの区画は、前記歯科用機器の形状に対応する形状を有することを特徴とする包装システム。
【請求項９】
請求項１または８の包装システムであって、さらに、前記容器の第１の区画内に配置された、前記歯科用機器、および、前記主組成物、および、前記第１の区画と流体連通する、前記容器の第２の区画内に配置された前記犠牲組成物を含むことを特徴とする包装システム。
【請求項１０】
請求項９の包装システムであって、前記密封された内部容積は、前記主組成物と前記犠牲組成物の合計体積の約５００％未満であることを特徴とする包装システム。
【請求項１１】
請求項９の包装システムであって、前記密封可能な内部容積は、前記主組成物と前記犠牲組成物の合計体積の約３００％未満であることを特徴とする包装システム。
【請求項１２】
請求項９の包装システムであって、前記密封可能な内部容積は、前記主組成物と前記犠牲組成物の合計体積の約２００％未満であることを特徴とする包装システム。
【請求項１３】
請求項９の包装システムであって、前記歯科用機器は、歯科用治療トレーを含むことを特徴とする包装システム。
【請求項１４】
請求項９の包装システムであって、前記主組成物中の前記少なくとも一つの揮発性または気体放出成分は、過酸化物および酸素を放出する安定化成分を含むことを特徴とする包装システム。
【請求項１５】
請求項９の包装システムであって、前記少なくとも一つの揮発性または気体放出成分は、水および有機溶媒からなる群から選択されることを特徴とする包装システム。
【請求項１６】
請求項９の包装システムであって、前記主組成物は、揮発性溶媒または揮発性モノマーの少なくとも一つを含む接着剤組成物であり、前記犠牲組成物の前記安定化成分は、前記揮発性溶媒または前記揮発性モノマーを含むことを特徴とする包装システム。
【請求項１７】
請求項９の包装システムであって、前記犠牲組成物は、前記主組成物と同じ組成物を有することを特徴とする包装システム。
【請求項１８】
請求項９の包装システムであって、前記犠牲組成物の前記安定化成分は、前記主組成物の、前記少なくとも一つの揮発性または気体放出成分を含むことを特徴とする包装システム。
【請求項１９】
請求項１８の包装システムであって、前記犠牲組成物は、前記主組成物よりも、前記少なくとも一つの揮発性または気体放出材料の高い濃度または量を含むことを特徴とする包装システム。
【請求項２０】
請求項９の包装システムであって、前記犠牲組成物の前記少なくとも一つの安定化成分は、主組成物の前記少なくとも一つの揮発性または気体放出材料の気化速度より大きいか、または、等しい気化速度を有することを特徴とする包装システム。
【請求項２１】
歯科治療システムであって、
容器および取り外し可能なカバーによって画定された、密封された内部容積、
前記密封された内部容積内に配置され、少なくとも一つの揮発性または気体放出材料を含む、歯科用組成物、および、
前記歯科用組成物と分離し、前記歯科用組成物と流体連通する犠牲組成物であって、前記密封された内部容積内において、前記主組成物中の前記少なくとも一つの揮発性または気体放出成分に取って代わるか、前記少なくとも一つの揮発性または気体放出成分に置き換わる、安定化成分を含む犠牲組成物、
を含むことを特徴とする歯科治療システム。
【請求項２２】
請求項２１の歯科治療システムであって、前記歯科用組成物は、歯科治療用組成物または歯科用接着剤組成物であることを特徴とする歯科治療システム。
【請求項２３】
請求項２１または２２の歯科治療システムであって、さらに、その上に配置された前記歯科用組成物を有する歯科用治療トレーを含み、前記歯科用組成物は、過酸化物を含む歯科用漂白組成物を含むことを特徴とする歯科治療システム。
【請求項２４】
請求項２１から２３のいずれかの歯科治療システムであって、前記密封された内部容積は、前記歯科用組成物を含む第１の区画、および、前記犠牲組成物を含む第２の区画を含むことを特徴とする歯科治療システム。
【請求項２５】
請求項２１から２４のいずれかの歯科治療システムであって、前記流体連通は、第１の区画と第２の区画との間の少なくとも一つの通路によって確立されることを特徴とする歯科治療システム。
【請求項２６】
請求項２１から２５のいずれかの歯科治療システムであって、前記容器は、空気、気体、水蒸気、または、揮発性物質の少なくとも一つに対して実質的に不透過性の少なくとも一つの障壁層、および、積層構造に強度および剛性を提供する、少なくとも一つの構造層を含む、前記積層構造を含むことを特徴とする歯科治療システム。
【請求項２７】
請求項２１から２６のいずれかの歯科治療システムであって、前記容器と前記取り外し可能なカバーの少なくとも一方が、空気、気体、水蒸気、または、揮発性物質の少なくとも一つに対して、実質的に不透過性であることを特徴とする歯科治療システム。
【請求項２８】
歯科用漂白システムであって、
密封された内部容積を画定する包装容器および取り外し可能なカバー、
前記密封された内部容積内に配置された歯科用漂白器具であって、
人の歯の少なくとも一部の上に配置するために構成された障壁層、および、
前記障壁層に隣接して配置され、過酸化物を含む歯科用漂白組成物、を含む前記歯科用漂白器具、および、
前記歯科用漂白器具から分離し、前記密封可能な内部容積内に配置された犠牲組成物であって、前記密封可能な内部容積内において酸素を放出し、前記取り外し可能なカバーを取り外す前に前記過酸化物の分解を減少させる酸素放出物質を含む、前記犠牲組成物、
を含むことを特徴とする歯科用漂白システム。
【請求項２９】
請求項２８の包装システムであって、前記包装容器および前記取り外し可能なカバーは、それぞれ、酸素と水蒸気の少なくとも一つに対して実質的に不透過性である少なくとも一つの材料を含むことを特徴とする包装システム。
【請求項３０】
請求項２９の包装システムであって、前記歯科用漂白組成物は、さらに、水を含み、前記犠牲組成物は、前記密封可能な内部容積内において水蒸気を形成し、前記取り外し可能なカバーを取り外す前に、前記歯科用漂白組成物からの水の蒸発を減少させる、水を含むことを特徴とする包装システム。
【請求項３１】
請求項２８の包装システムであって、前記歯科用漂白組成物は、前記密封された内部容積内に最初に配置されたときに過酸化物の初期濃度を有し、少なくとも３ヶ月後に、前記過酸化物の初期濃度の少なくとも約７５％を保持することを特徴とする包装システム。
【請求項３２】
請求項２８の包装システムであって、前記包装システムは、少なくとも３ヶ月後に、前記過酸化物の初期濃度の少なくとも約８５％を維持することを特徴とする包装システム。
【請求項３３】
請求項２８の包装システムであって、前記包装システムは、少なくとも３ヶ月後に、前記過酸化物の初期濃度の少なくとも約９０％を維持することを特徴とする包装システム。
【請求項３４】
請求項２８の包装システムであって、前記包装システムは、少なくとも３ヶ月後に、前記過酸化物の初期濃度の約９５％から約１００％を維持することを特徴とする包装システム。
【発明の詳細な説明】
【技術分野】
【０００１】
本発明は、包装システム、より具体的には、組成物の安定性を改善または維持するための密封可能な包装容器の分野にある。
【背景技術】
【０００２】
多様な組成物および機器が、患者の歯を含む、患者に対する所望の治療を提供するために使用される。組成物は、一つ以上の活性剤を含む治療用組成物であり得る。あるいは、組成物は、空気にさらされると乾くか、硬化し得る、接着剤または他の組成物であり得る。いくつかの組成物は、溶媒または重合性液体のような、少なくとも一つの揮発性物質を含む。これらの、または、他の組成物は、人の歯を白くするために使用される、過酸化物組成物のような、少なくとも一つの気体放出材料を含み得る。
【０００３】
多くの場合、経時的に（例えば、製造後の貯蔵中および使用前に）、組成物の少なくとも最低限の安定性を維持することが重要であり得、または、望まれ得る。安定性は、多くの場合、密閉容器内に組成物を保管することによって維持される。密封された容器は、組成物が、例えば、揮発性溶媒の蒸発によって乾燥するのを防止し得る。あるいは、密封容器は、酸素または空気が、組成物と接触するのを妨げ得る。いくつかの例では、密封容器は、分解すると酸素を放出する、過酸化物のような、気体放出材料の分解を防止するか、または、遅らせ得る。
【０００４】
安定性は、典型的に、密閉容器が、真空を維持し、および／または、揮発性成分の蒸発を防止し、および／または、気体放出材料の分解を防止し得る場合に、維持される。プラスチックまたは金属のねじ蓋付きガラス瓶のような、いくつかの容器は、それらが、空気、酸素、その他の気体、水蒸気、または、揮発性物質に対して、高い不透過性であるため、高いレベルの安定性を維持し得る。
【０００５】
場合によっては、そこに適用される組成物を有する、歯科用ホワイトニングトレー、歯科用ホワイトニングストリップ、他の歯科用機器、または他の器具を製造し、軽量の使い捨て包装容器にそれらを保存することが望まれ得る。一般的な軽量の使い捨て包装容器の例は、その中に器具と組成物を保持するための、成形された重合体容器本体と、成形された重合体容器本体の開口部を覆う、金属箔または他の剥離可能なシートであり、その中に、器具と組成物とが、製造後、および、使用前に保管される、密封された内部容積を形成する。
【発明の概要】
【発明が解決しようとする課題】
【０００６】
軽量の使い捨て包装容器の欠点は、それらが、空気、酸素、その他の気体、水蒸気、および／または、揮発性物質に対し、完全に不透過性であるとは限らないということである。そして、それらが、空気、酸素、他の気体、水蒸気、および／または、揮発性物質に対して、実質的に不透過性であるとしても、水、揮発性材料または放出された気体のいくらかの量は、包装後、および、開封前に、密封された内部容積内にたまり、組成物の安定性および／または期待される効力を減少させ得る。
【０００７】
失われる効力に関連する問題のために、時には、予め充填されたホワイトニングシステムは、使用前に、冷蔵環境で保管されることが推奨される。冷蔵保管は、過酸化物ホワイトニング剤の分解を遅らせるか、防止し、それは、効力を維持し、包装された製品の貯蔵寿命を延ばす。しかし、冷蔵保存は、特に、冷蔵棚が利用可能または実用的とは限らない、窓口販売に向けられた歯科治療システムにとって、しばしば、実用的ではない。
【課題を解決するための手段】
【０００８】
本明細書において、その中に保管された組成物の長期の安定性および貯蔵寿命を改善するための、包装システムが開示される。いくつかの実施形態によれば、包装システムは、密封された、または、密閉可能な内部容積を画定する包装容器を含む。例えば、包装容器は、取り外し可能なカバーを含み得、空気、酸素、その他の気体、水蒸気、または、揮発性材料の少なくとも一つに実質的に不透過性である、一つ以上の材料から形成され得る。主組成物と犠牲組成物が、密閉された、または、密閉可能な内部容積内に配置され得る。
【０００９】
一実施形態によれば、密閉可能な、または、密閉された内部容積は、その中に、機器、および、少なくとも一つの揮発性、または、気体放出材料を含む主組成物を保管するための形状を有する第１の区画、および、その中に、少なくとも一つの揮発性または気体放出材料を含む犠牲組成物を保管するための、第１の区画と流体連通する、第２の区画または領域を含み得る。
【００１０】
いくつかの実施形態によれば、包装容器、および／または、取り外し可能なカバーは、空気、酸素、その他の気体、水蒸気、または、揮発性材料の少なくとも一つに実質的に不透過性である、少なくとも一つの障壁層、および、積層構造に強度および／または剛性を提供する、少なくとも一つの構造層からなる、積層構造を有し得る。
【００１１】
いくつかの実施形態によれば、包装システムは、その中に、歯科用機器を保管するように設計される。一実施形態によれば、歯科用機器は、トレー、または、ストリップの形状の障壁層と、歯科用漂白剤のような活性剤を有する歯科用治療組成物を含む、歯科用治療器具である。一実施形態によれば、歯科用機器は、歯列矯正機器であり、主組成物は、歯科用接着剤または複合材である。
【００１２】
本発明の、これらの、および、他の、利益、利点および特徴は、以下の記載および添付の特許請求の範囲からより完全に明らかとなるであろうし、または、以下に説明されるように、本発明の実施によって学習され得る。
【００１３】
本発明の前記および他の利点および特徴をさらに明確にするために、本発明のより具体的な説明が、添付の図面に図示される、その特定の実施形態への参照によって示されるであろう。これらの図面は、本発明の典型的な実施形態のみを示し、したがって、その範囲を限定することを考慮されないことが理解される。本発明は、添付の図面の使用を通じて、さらに具体的かつ詳細に記載され、および、説明されるであろう。
【図面の簡単な説明】
【００１４】
【図１Ａ】包装システム内に保管される組成物の長期安定性を改善するための包装システムを形成するための、取り外し可能なカバーと共に使用するための例示的な包装容器を概略的に示す図である。
【図１Ｂ】包装システム内に保管される組成物の長期安定性を改善するための包装システムを形成するための、取り外し可能なカバーを有する図１Ａの包装容器の断面図である。
【図２Ａ】包装システム内に保管される組成物の長期安定性を改善するための包装システムを形成するための、取り外し可能なカバーと共に使用するための別の例示的な包装容器を概略的に示す図である。
【図２Ｂ】包装システム内に保管される組成物の長期安定性を改善するための包装システムを形成するための、取り外し可能なカバーを有する図２Ａの包装容器の断面図である。
【図２Ｃ】図２Ｂの包装システムの斜視図である。
【図３Ａ】揮発成分または気体がたまり得る包装システムの内部容積を最小にするように、減少したヘッドスペースを提供する２つの半体を有する例示的な包装システムを概略的に示す図である。
【図３Ｂ】減少したヘッドスペースを提供するための、密閉された構造の２つの半体を有する、図３Ａの包装システムの断面図である。
【図４Ａ】口腔治療ストリップのような、平たい治療器具の長期安定性を改善するための包装システムを形成するための、取り外し可能なカバーと共に使用するための別の例示的な包装容器を概略的に示す図である。
【図４Ｂ】包装システム内に保管された、口腔治療ストリップのような平たい治療器具の長期安定性を改善するための包装システムを形成するための、取り外し可能なカバーを有する図４Ａの包装容器の断面図である。
【図５Ａ】本明細書に開示される包装システムの製造に使用するための例示的な積層障壁材料を示す図である。
【図５Ｂ】本明細書に開示される包装システムの製造に使用するための例示的な積層障壁材料を示す図である。
【図５Ｃ】本明細書に開示される包装システムの製造に使用するための例示的な積層障壁材料を示す図である。
【発明を実施するための形態】
【００１５】
経時的に組成物の安定性を維持するための包装システムが、本明細書に開示される。一般に、そのような包装システムは、密封可能な、または、密封された内部容積を画定する包装容器を含み得る。非限定的な例として、包装容器は、取り外し可能なカバーを含み、包装容器と取り外し可能なカバーは、空気、酸素、他の気体、水蒸気、または、揮発性材料の少なくとも一つに、不透過性であるか、半透過性であるか、または、実質的に不透過性である、一つ以上の材料を含み得る。主組成物と犠牲組成物は、密封された、または、密閉可能な内部容積内に、存在するか、配置され得る。
【００１６】
主組成物は、揮発し、および／または、気体を放出し得る、一つ以上の揮発性、および／または、気体放出材料を含み得、一つ以上の揮発性、および／または、気体放出材料の減少した濃度と、組成物の減少した安定性、および／または、効力の損失をもたらす。密閉容器の中でさえ、主組成物からの、揮発性化合物、および／または、気体のような、物質の放出は、密封された内部容積内のそのような物質の分圧が平衡に達し、そのような物質の放出が、もはや熱力学的に支持されなくなるまで進行し得る。平衡を促進し、主組成物からの揮発性物質、および／または、気体の放出を防止または低減するために、犠牲組成物が、密封された内部容積において、周囲分子の量を増加させるために、気体または蒸気と同様の分子に構成され得る。密封された内部に、犠牲組成物から放出される揮発性物質および／または気体の量は、一般に、そうでなければ、犠牲組成物の非存在下で、主組成物から放出されるであろう揮発性物質および／または気体の量に対応し得る。換言すれば、密閉された内部容積において平衡が達せられるまで、そのような揮発性物質および／または気体が、より多く犠牲組成物から放出されると、そのような揮発性物質および／または気体は、より少なく、主組成物によって放出されるであろう。このようにして、主組成物中の揮発性および／または気体放出材料の安定性および／または濃度が維持され得、主組成物の貯蔵寿命は、主組成物を収容する密封された内部容積内に犠牲組成物を含むことによって、経時的に増大させられ得る。
【００１７】
いかなる特定の理論に拘束されるものではないが、揮発性または気体放出材料は、閉じられた容積内において、すぐ近くにおける周囲の雰囲気中の水蒸気または気体の分圧が、所定の温度と圧力での、特定の蒸気または気体にとっての平衡分圧より低い限り、気化し、昇華し、または、気体を放出し得ると考えられる。閉じられた容積（例えば、包装システム内の密封された内部容積またはヘッドスペース）内において、主組成物から放出される蒸気または気体の分圧は、主組成物が、最初に閉じられた容積内に包装されるとき、最初は、小さいか存在しないであろう。このことは、主組成物から失われる、そのような蒸気または気体の傾向を増大させ、主組成物の安定性および／または効力を低減させ得る。密封された内部容積内に、または、密封された内部容積と流体連通して、蒸気または気体を放出するように構成された犠牲組成物を含むことは、密封された内部容積内の平衡分圧を達成するための、主組成物から放出される揮発性または気体放出材料の量を、実質的に減らすか、または、根絶し得る。犠牲組成物は、主組成物に含まれる揮発性および／または気体放出材料の蒸気圧より大きいか同等の蒸気圧を有する、任意の揮発性および／または気体放出材料を含み得る。非限定的な例として、犠牲組成物によって放出された蒸気または気体は、主組成物によって放出されるそれと、同一または類似であり得る。このことは、順に、そうでなければ、犠牲組成物の非存在下で、主組成物から失われるかもしれない、そのような蒸気または気体の量を減少させる。
【００１８】
一実施形態によれば、密閉可能な、または、密閉された内部容積は、にもかかわらず、流体（例えば、気体）連通にある、異なる区画または領域を含み得る。このようにして、一つの区画または領域からの気体または蒸気は、流体連通にある別の区画または領域に移送され得、区画は、そのような気体または蒸気に関連して、平衡に達する。一実施形態によれば、密閉可能な、または、密閉された内部容積は、機器、および、少なくとも一つの揮発性または気体放出材料を含む主組成物を、その中に格納するための形状を有する第１の区画と、少なくとも一つの揮発性または気体放出材料を含む犠牲組成物を、その中に格納するための、第１の区画と流体連通する第２の区画または領域を含み得る。機器の形状とサイズに緊密に適合する形状および大きさを有する区画を提供することは、包装システム内の密封された内部容積またはヘッドスペースの大きさを大きく減少させ得る。
【００１９】
別の実施形態によれば、第２の区画または領域は、少なくとも一つの揮発性または気体放出物質を含む犠牲組成物の測定された量を、その中に格納するための窪み、または、その中に格納するための指定された空間を提供し得る。犠牲組成物の量を配置するための窪みまたは指定された空間を有する第２の区画を提供することは、また、包装システム内の密封された内部容積またはヘッドスペースの大きさを減少させ得る。
【００２０】
用語「密封可能な内部容積」は、密封された内部空間を形成するように密封され得る包装システム内の容積に言及する。
【００２１】
用語「密封された内部容積」は、一つ以上の機器、一つ以上の主組成物、および、一つ以上の犠牲組成物が配置され得る、包装システム内の容積に言及する。密封された内部容積は、「主組成物容積」および「ヘッドスペース」を含み得る。
【００２２】
用語「組成物容積」は、密封された内部容積内の一つ以上の主組成物および一つ以上の犠牲組成物の累加容積に言及する。
【００２３】
用語「ヘッドスペース」は、一般的に、機器、一つ以上の主組成物、および、一つ以上の犠牲組成物によって占有されていない、密封された内部容積内の残りの容積に言及し、その中に、主組成物およびまたは犠牲組成物によって放出される蒸気または気体がたまり得る。
【００２４】
用語「安定性に影響を与える成分」は、主組成物の安定性に影響を与えるか、または、関係する、主組成物内の材料または成分に言及する。安定性に影響を与える成分は、最初に製造され、包装されたときに、主組成物中に最初に含まれるが、気体を放出する蒸発、昇華または分解によって、経時的に、主組成物から失われ得る材料であって、主組成物におけるそのような材料の損失が安定性を低減する材料であり得る。
【００２５】
用語「安定化成分」は、主組成物中の安定性に影響を与える成分を安定化するように作用する物質または成分に言及する。例えば、安定化成分は、主組成物中の揮発性成分に取ってかわることによって、また、包装の密封された内部容積またはヘッドスペース内の揮発性成分に置き代わることによって、主組成物を安定化させ得る。安定化成分は、主組成物中の揮発性成分の気化速度より大きいか、または、等しい気化速度を有する、（主組成物中に含まれるか否かにかかわらない）任意の揮発性物質であり得る。安定化成分は、安定性に影響を与える成分と同じ成分、類似の成分、または、異なる成分であり得る。犠牲組成物は、主組成物が、蒸気または気体を放出する速度より大きいか、または、等しい速度で、内部容積に蒸気または気体を放出するように処方され得、主組成物からの安定性に影響を与える成分の損失を、減少させるか、または排除する。
【００２６】
本明細書で使用される用語「安定性」は、ある期間にわたって、効力、有効性、活性成分の濃度、レオロジー、均質性、反応性、接着性等、所望の特性を維持するための、組成物の性質に言及し、その期間にわたる、組成物の化学的および物理的安定性の両方を含む。用語「物理的安定性」は、組成物中で、過酸化物のような、活性成分の物理的形態を維持することに言及する。用語「化学的安定性」は、組成物中の活性成分の濃度および効力を維持することに言及する。
【００２７】
用語「平衡分圧」は、限られた容積内の所与の温度および圧力で、主組成物および／または犠牲組成物によって、有意の量の蒸気または気体が放出されない、そのような蒸気または気体の分圧に言及する。
【００２８】
本明細書で使用される用語「効力」は、組成物中の活性剤の濃度および／または合計量に言及する。組成物が、活性剤の初期の濃度および／または合計量を含む限り、効力は、所定の期間にわたって、活性剤の濃度および／または合計量により測定され得、または、活性剤の濃度および／または合計量に関連する。
【００２９】
用語「反応性」は、例えば、空気中に露出されるとき、および／または、活性化剤と混合されるとき、化学反応を受ける組成物の能力に言及する。空気または他の有害物質への早期の曝露は、組成物の反応性を低下させ、および／または、組成物が反応し、または、早期に劣化することをもたら得、それによって、それが使用状態に置かれるときに、さらに反応し、または、完全に反応するその能力を低下させる。
【００３０】
本明細書で使用される用語「レオロジー」は、組成物の流動特性に言及する。異なるレオロジーの例は、液体、ゲル、粘着性および粘性ゲル、パテまたはパテ状物、および、実質的に固体を含むが、これらに限定されない。
【００３１】
本明細書で使用される用語「主組成物」は、使用前に経時的に安定性を維持することを望まれる、貯蔵システムの密封された、または、密閉可能な内部容積内に含まれるか、包装される、一つ以上の組成物に言及する。主組成物は、典型的には、組成物から放出されると、組成物が安定性を失うことをもたらす、少なくとも一つの揮発性および／または気体放出成分を含む。主組成物は、液体、ゲル、粘着性および粘性ゲル、パテまたはパテ状物、または、実質的に固体のような、所望のレオロジーを有し得る。包装システムの密封された内部容積内に貯蔵された、複数の主組成物が存在する場合、それらは、類似の、または、異なるレオロジーを有し得る。
【００３２】
本明細書で使用される用語「揮発性物質」は、室温で、蒸気のような、固体から分離される、十分に高い蒸気圧を有する一つ以上の揮発性成分を有する、液体、流体または固体であり得る、物質に言及する。そのような揮発性成分は、室温で、蒸発するか、または、昇華し得る。揮発性物質の例は、これらに限定されないが、水、有機液体溶媒、極性溶媒を含み、これらに限定されないが、低級アルコール、アルカン、アルケン、アルデヒド、ケトン、エーテル、エステル、アセタール、ケタール、カルボン酸を含み、および、塩素化炭化水素類、および、トリエチレングリコールメタクリレート（ＴＥＧＭＡ）のような、光または化学硬化接着剤に使用される、液体または低分子量のモノマーを含む。
【００３３】
用語「気体放出材料」は、気体を放出するように可逆的または不可逆的に分解する、固体、流体、または、液体物質を含む。例は、過酸化水素、過酸化カルバミド、過酸化カルシウム、および、過ホウ酸ナトリウムのような、過酸化物を含む。
【００３４】
本明細書で使用される用語「犠牲組成物」は、典型的には、一つ以上の主組成物と流体または気体連通する、貯蔵システムの、密封された、または、密閉可能な内部容積内に含まれるか、または、包装された、一つ以上の組成物に言及する。そのような犠牲組成物は、一つ以上の安定化成分を含み得、それは、一つ以上の主組成物に含まれる揮発性または気体放出物質よりも高い蒸発速度を有する、揮発性または気体放出物質であり得る。例えば、犠牲組成物は、主組成物を囲む密封された内部容積またはヘッドスペースに、蒸気または気体を放出するように処方され得、それにより、密封された内部容積またはヘッドスペース内の、そのような蒸気および気体の分圧の増加をもたらす。分圧のそのような増加は、主組成物からの蒸気や気体の発生を、実質的に低減し、または、排除し得る。一つ以上の蒸気または気体の持分の平衡分圧が達成される速度を増加させることにより、犠牲組成物は、そうでなければ、犠牲組成物の不存在における、一つ以上の蒸気または気体の多量を失うかもしれない、主組成物の安定性を改善する。
【００３５】
犠牲組成物は、主組成物と同じか、または、異なり得る。いくつかの場合において、犠牲組成物は、単に、主組成物と同じ組成物であり、これは、事前に包装される機器を製造するために必要とされる、異なる組成物の数を減少させるであろう。代わりに、犠牲組成物は、そのような組成物の無駄なコストを低減し、および／または、主組成物の安定性を維持または増大させるために使用される、蒸気を形成するか、または、気体を放出する物質の量または濃度を増加させるために、主組成物から一つ以上の成分を省略し得る。異なるタイプおよび／または量の蒸気または気体を放出する、異なる主組成物が、閉じられた容積内に存在する場合、各々の主組成物の安定性を増加または維持するために、対応する蒸気または気体を放出し得る、複数の対応する犠牲組成物が存在し得る。犠牲組成物は、主組成物と同じか、または、異なるレオロジーを有し得る。例えば、犠牲組成物は、液体、ゲル、または、固体の形態を有し得る。製造を容易にするために、犠牲組成物は、ペレット、錠剤、キューブ、ディスク、または、平らなシートのような、予め形成された形状を含んでもよく、それは、主組成物と流体連通するために、包装システムの窪みに置かれるか、または、内壁に付着させられ得る。また、犠牲組成物は、透過性または半透過性の小包または小袋内に配置され得、それは、主組成物と流体連通する包装システムの領域に配置され得る。非限定的な例として、包装システムは、プラスチックまたは箔の小袋であり得、犠牲組成物は、錠剤の形態で小袋に、窪み内に、または、半透膜内に配置され得る。
【００３６】
本開示の実施形態によれば、揮発性または気体放出材料のような、主組成物の安定性に影響を及ぼし得る、主組成物の所定の成分に対して、対応する犠牲組成物中の同一または類似の成分の濃度は、主組成物におけるその成分の濃度よりも、小さいか、同じか、または、より大きいかであり得る。本明細書に開示される実施形態によれば、犠牲組成物中の所定の成分の濃度は、主組成物中のその成分の濃度の少なくとも約５０％、好ましくは、少なくとも約７５％、より好ましくは、少なくとも約１００％であり得、最も好ましくは、主組成物のその成分の濃度の少なくとも約１２５％であり得る。いくつかの場合において、犠牲組成物中の所定の成分の濃度は、主組成物中の同じまたは類似の成分の濃度の、約５０％〜約５００％、または、約７５％〜約４００％、約１００％〜約３００％、または、約１２５％〜約２５０％の範囲であり得る。
【００３７】
いくつかの場合において、安定性に影響を与える成分は、閉じられた容積またはヘッドスペース中の類似の成分の存在によって影響され得ることが理解されるべきである。例えば、揮発性溶媒の分圧の増進は、類似の、しかし同一ではない、揮発性溶媒が、閉じられた容積またはヘッドスペース中で平衡に達するのを支援する（例えば、アセトン、および、メチルエチルケトン）。
【００３８】
同様に、主組成物中の気体放出材料が、特定の気体（例えば、酸素）を放出して分解する場合、犠牲組成物は、放出されるその気体（例えば、酸素）が、閉じられた容積またはヘッドスペースが、より迅速に、その気体にとっての平衡に達するのを支援する限り、異なる気体放出物質を含み得る。例えば、主組成物は、ゆっくりと時間をかけて酸素を放出する安定化過酸化物ホワイトニング剤を含み得、一方、犠牲組成物は、主組成物と比較して増大した速度で酸素を放出する、より安定性の低い過酸化物または他の酸素放出成分を含み得、閉じられた容積またはヘッドスペースが、より迅速に、閉じられた容積内における酸素の平衡分圧に到達することをもたらす。閉じられたヘッドスペースを画定する包装材料が、有利には、空気、酸素、その他の気体、水蒸気、および／または、揮発性物質に対して不透過性である材料の組み合わせから作られる場合、特定の物質にとっての平衡が到達されると、本質的に、その物質のそれ以上は、主組成物や犠牲組成物のいずれによっても放出されないであろう。
【００３９】
濃度の代わりに、比較のもう一つのポイントは、主および犠牲組成物が、所定の時間内に、所定の蒸気または気体を放出するか、失い得る速度であるかもしれない。本発明の実施形態によれば、主および犠牲組成物は、密封された内部容積またはヘッドスペース内において気化し、および／または、気体を放出し得る、所定の揮発性または気体放出成分を含み得、犠牲組成物は、主組成物以上か、等しい速度で、気化し、および／または、気体を放出するように構成される。例えば、犠牲組成物は、同一または類似の成分が、気化し、または、主組成物によって放出される速度の、少なくとも約１００％の速度で、または、同一、類似、または、異なる蒸気または気体が、主組成物によって放出される速度の、少なくとも約１２５％、少なくとも約１５０％、少なくとも約１７５％、少なくとも約２００％、少なくとも約２５０％、少なくとも約３００％、少なくとも約４００％、または、少なくとも約５００％の速度で、気化し、および／または、気体を放出し得る。
【００４０】
本明細書に開示される包装システムの実施形態は、密封された内部容積内に最初に置かれたとき、活性剤の初期濃度に対する所望の濃度範囲内の、活性剤（例えば、過酸化物）の濃度を維持するのに有用であり、所望の濃度は、少なくとも３ヶ月後に、初期濃度の少なくとも約７５％、好ましくは、少なくとも３ヶ月後に初期濃度の少なくとも約８５％、より好ましくは、少なくとも３ヶ月後に初期濃度の少なくとも約９０％、および、最も好ましくは、少なくとも３ヶ月後に初期濃度の約９５％〜約１００％の範囲である。
【００４１】
例として、限定ではなく、本明細書に開示されるような包装システムを製造するために使用される材料は、主組成物から放出される一つ以上の所定の揮発性物質または気体に対して、実質的に不透過性であるように選択され得る。多くの場合において、一つ以上の包装システムの材料は、空気、酸素、水蒸気、揮発性有機溶媒、または揮発性物質の少なくとも一つに実質的に不透過性であるように、選択されるであろう。また、包装システムは、その主な目的が、包装システムに追加の強度および／または剛性を提供することにある材料を含み得る。
【００４２】
酸素分子に対する良好な障壁を提供する（すなわち、酸素分子に対して低い透過性を有する）材料の例は、エチレン−ビニルアルコール共重合体（ＥＶＯＨ）、プロピレン−ビニルアルコール共重合体（ＰＶＯＨ）、ポリ塩化ビニリデン（ＰＶＤＣ）、ポリアミド、ナイロン（例えば、タイプ６および６６）、ニトリル共重合体、ポリアクリロニトリル（ＰＡＮ）、ポリエチレンテレフタレート（ＰＥＴ）、レゾルシノール、ＯＲＭＯＣＥＲハイブリッド重合体、液晶重合体（ＬＣＰ）、脂肪族ポリケトン、プラズマガラス塗料、熱硬化性エポキシコーティング、および、ナノコンポジットを含む。
【００４３】
水分子に対して良好な障壁を提供する（すなわち、水分子に対して低い透過性を有する）材料の例は、環状オレフィン重合体（ＣＯＰ）、環状オレフィン共重合体（ＣＯＣｓ）、ポリクロロトリフルオロエチレン（ＰＣＴＦＥ）、酸化アルミニウムコーティング（ＡｌＯｘ）、塩化ビニリデン共重合体、高密度ポリエチレン（ＨＤＰＥ）、および、ポリプロピレンを含む。
【００４４】
酸素、水、空気および揮発性物質に対する良好な障壁を提供する材料の例は、アルミニウム箔のような金属箔を含む。
【００４５】
前記に加えて、種々の重合体の層が、包装システムに追加の強度および／または剛性を提供するために含まれ得る。また、これらの材料のいくつかは、酸素、水、空気および揮発性物質に対する全体的な包装システムの障壁性を向上させ得る。揮発性有機分子は、酸素および水の分子よりもはるかに大きく、一方、空気分子は、典型的に、ほぼ同じ大きさであるので、酸素および水の分子の一方または両方に対する良好な障壁を提供することは、空気、および、特に揮発性有機分子の両方に対する、良好な障壁をもたらすであろう（少なくとも、物質が、組成物中に使用される特定の有機溶媒の存在下で損傷されない限り）。
【００４６】
包装システムの障壁性能を向上させ得るか、または、向上させないかもしれない構造重合体は、これらに限定されないが、ポリオレフィン、ポリエステル、ポリプロピレン（ＰＰ）、ポリエチレン（ＰＥ）、ポリ塩化ビニル（ＰＶＣ）、ポリ二塩化ビニル（ＰＶＤＣ）、エチレン−酢酸ビニル共重合体（ＥＶＡ）、および、グリコール変性ポリエチレンテレフタレート（ＰＥＴＧ）を含む。ポリプロピレンは、ＣＯＣに容易に結合可能であり、積層重合体フィルムに構造と容積を提供し、比較的安価である。
【００４７】
層は、共押出しされ得、押出工程の熱を用いて、層を一緒に結合するか、または、層は、適切な接着剤を用いて互いに結合され得る。
【００４８】
包装システムは、ヘッドスペースを減少させ、過剰な動き、または、揺れなしに、機器を閉じ込めるために、機器の大きさおよび形状にほぼ対応する大きさおよび形状を有するように製造され得る。包装システムの内部容積は、また、ヘッドスペースを最小化し、それによって、主および犠牲組成物から放出される蒸気および／または気体がたまり得るヘッドスペースを最小化するように選択され得る。ヘッドスペースの絶対量を最小化することは、平衡が、所定の安定化成分に対して到達させられる前に、密封された内部容積内にたまらねばならない蒸気および／または気体の絶対量を最小限にする。
【００４９】
包装システムの密封された内部容積内において、容積の一部は、一つ以上の主組成物および一つ以上の犠牲組成物の累加体積（総称して「組成物容積」）を含むであろう。密封された内部容積の一部は、空の空間（または「ヘッドスペース」）であり（すなわち、密封された内部容積の一部は、一つ以上の機器、一つ以上の主組成物、および、一つ以上の犠牲組成物によって占められない）、その中に、主および犠牲組成物から放出される、蒸気および／または気体がたまり得る。「組成物容積」に対する「ヘッドスペース」の割合を減少させることは、平衡が主組成物中の揮発性成分に対して到達させられる前に、主および犠牲組成物によって放出される蒸気または気体の量を、対応して減少させる。
【００５０】
いくつかの実施形態によれば、密封された、または、密封可能な内部容積内のヘッドスペースは、組成物の体積の約５００％未満、好ましくは約４００％未満、より好ましくは約３００％未満、最も好ましくは組成物の体積の約２００％未満であり得る。
【００５１】
次いで図面に対して参照がなされる。図１ＡおよびＩＢは、口腔治療用組成物の安定性を維持するのに使用するための、例示的な包装システム１００を示す。包装システム１００は、第１の容器１０２ａおよび第２容器１０２ｂを含み、その中に、第１、および、第２の口腔機器（例えば、口腔治療トレー）１０４ａ、１０４ｂを、それぞれ、第１および第２の機器用窪みまたは区画１０６ａ、１０６ｂ内において保持するように設計される。機器用窪みまたは区画１０６は、有利には、移動が最小限にされ、また、組成物容積に対するヘッドスペースの割合を減少させる方法で、機器１０４を保持するように構成される。
【００５２】
任意の数の容器が含まれ得、それらは、図示されるように一緒に結合させられ得、または、例えば、積み荷容器内に積み上げることによって、接続することなく個別に包装され得ることが理解されるであろう。口腔治療トレーのための包装システム１００が、本明細書に示されるが、包装システム１００は、袋、箱、瓶、ディスペンサー、ケース、それに類するもののような、囲まれた容積を画定する任意の形状または構造を有し得ることが認識されるべきである。二つの容器１０２が、（例えば、上下歯列弓を個別に治療するための）二つの歯科用治療トレー１０４を含む、口腔治療用キットを提供するために、図１Ａに示される。
【００５３】
第１および第２の歯科治療用トレー１０４ａ、１０４ｂは、歯科治療用トレー１０４ａ、１０４ｂの対応する窪み内に、それぞれ、配置される、第１および第２歯科用組成物１０８ａ、１０８ｂを、それぞれ含む。歯科用組成物１０８Ａ、１０８Ｂは、例えば、閉じられたスペース内で、蒸発し、および、蒸気を形成し得る、液体または溶媒のような揮発性成分、または、分解の結果、気体を放出し得る、過酸化物または他の活性剤のような気体放出材料を含み得る、一つ以上の安定性に影響を与える成分を含む、一つ以上の「主組成物」であると考えられ得る。歯科用組成物１０８Ａ、１０８Ｂは、同じであるか、または、異なり得、同一または異なるタイプの安定性に影響を与える成分を含み得、および／または、同じか、または、異なる量、または、濃度の安定性に影響する成分を含み得る。
【００５４】
包装システム１００は、さらに、第１歯科用組成物１０８ａと流体（例えば、気体）連通にあるようにするため、第１の機器用窪みまたは区画１０６ａの領域内に配置された、第１の犠牲組成物１１０ａ、および、第２歯科用組成物１０８ｂと流体（例えば、気体）連通にあるようにするため、第２の機器用窪みまたは区画１０６ｂの領域内に配置された、第２の犠牲組成物１１０ｂを含む。犠牲組成物１１０ａ、１１０ｂは、包装システム１００の実質的中央に配置されるように示されるが、犠牲組成物１１０Ａ、１１０Ｂは、犠牲組成物１１０ａ、１１０ｂが歯科用組成物１０８ａ、１０８ｂと流体連通にある、包装システム１００内の任意の位置に配置され得ることが理解されるべきである。また、犠牲組成物１１０ａ、１１０ｂは、蒸気および／または気体に対する透過性の材料で、部分的にまたは完全に包まれ得る。
【００５５】
犠牲組成物１１０ａ、１１０ｂは、一つ以上の安定化成分を含み得る。例えば、犠牲組成物１１０ａ、１１０ｂは、それぞれ、歯科治療用組成物１０８ａ、１０８ｂと同一であり得、または、歯科用治療組成物１０８ａ、１０８ｂと同じか類似の安定性に影響を与える成分を少なくとも含み得、または、歯科用組成物１０８ａ、１０８ｂより大きいか、または、等しい気化速度を有する、安定化成分を含み得る。犠牲組成物１１０ａ、１１０ｂは、閉じられた空間内で蒸発し、蒸気を形成し得る液体または溶剤、または、分解の結果として、気体を放出し得る、過酸化物または他の活性剤のような、気体放出物質を含み得る。  犠牲組成物１１０ａ、１１０ｂは、安定化成分と同一でも異なってもよく、同一または異なるタイプの安定化成分を含み得、および／または、同一または異なる量または濃度の安定化成分（単数または複数）を含み得る。
【００５６】
図１Ｂに示されるように、包装システム１００は、さらに、空気、酸素、その他の気体、水蒸気、または、揮発性物質の少なくとも一つに実質的に不透過性である、一つ以上の材料から形成され得る、取り外し可能なカバー１１２を含み、それは、包装容器に結合され、または、接着されたとき、包装容器１０２と共に密封を形成し、機器用窪みまたは区画１０６の大きさに対応する密封された内部容積をもたらす。一例として、取り外し可能なカバー１１２は、不透明な箔材料を含み得る。容器１０２は、それ自体、不透明であるか、または、透明または半透明であり得る。包装システム１００の密封された内部容積は、貯蔵中に、歯科用組成物１０８と犠牲組成物１１０を流体連通に維持し、その結果、犠牲組成物１１０は、使用前、歯科用組成物１０８の安定性を維持するのを支援し得、したがって、歯科用組成物１０８の寿命を延ばす。
【００５７】
歯科用組成物１０８は、所望のタイプの治療剤のような、不安定化または脱水を受けやすい任意の組成物を含み得る。例えば、治療剤は、一つ以上の歯の漂白剤、減感剤（例えば、硝酸カリウム、他のカリウム塩、クエン酸、クエン酸塩、またはフッ化ナトリウム）、再石灰化剤（例えば、フッ化ナトリウム、フッ化第１スズ、モノフルオロリン酸ナトリウム、または、他のフッ化物塩）、抗菌剤（例えば、クロルヘキシジン、トリクロサン、安息香酸ナトリウム、パラベン類、テトラサイクリン、フェノール類、または、塩化セチルピリジニウム）、抗歯垢剤、抗歯石剤（例えば、ピロリン酸塩）、歯肉無痛化剤（例えば、アロエベラ、適度の硝酸カリウム、または、塩を形成する等張液）、麻酔薬（例えば、ベンゾカイン、リドカイン、または、そのようなもの）、抗酸化剤（例えば、ビタミンＡ、ビタミンＣ、ビタミンＥ、他のビタミン、または、カロテン）、または、口の清涼剤（例えば、樟脳または冬緑油）を含み得る。
【００５８】
歯科用の漂白剤の例は、これらに限定されないが、過酸化水素水溶液、過酸化カルバミド、金属過ホウ酸塩（例えば、過ホウ酸ナトリウム）、金属過炭酸塩（例えば、過炭酸ナトリウム）、金属過酸化物（例えば、過酸化カルシウム）、金属亜塩素塩または次亜塩素酸塩、過酸（例えば、過酢酸）、または、過酸塩の一つ以上を含む。
【００５９】
歯科用組成物１０８は、また、親水性重合体のような増粘剤を含み得る。親水性重合体増粘剤の例は、これらに限定されないが、ポリビニルピロリドン（ＰＶＰ）、ＰＶＰ−酢酸ビニル共重合体、カルボキシポリメチレン（例えば、Ｎｏｖｅａｎ社により販売されるＣＡＲＢＯＰＯＬ）、ポリエチレンオキシド（例えば、ユニオンカーバイドにより製造されるＰＯＬＹＯＸ）、ポリアクリル酸重合体または共重合体（例えば、Ｎｏｖｅａｎ社により販売されるＰＥＭＵＬＥＮ）、ポリアクリレート、ポリアクリルアミド、ポリアクリル酸およびポリアクリルアミドの共重合体、カルボキシメチルセルロース、カルボキシプロピルセルロース、セルロースエーテル、多糖類ガム、タンパク質、または、そのようなものを含む。
【００６０】
歯科用組成物１０８は、また、蒸発して、歯科用組成物１０８が早期に乾燥または硬化することをもたらし得る、水、アルコール、または、アセトンのような、一つ以上の揮発性液体を含む、液体担持用材料を含み得る。また、過酸化物が含まれている場合、治療用組成物１０８は、過酸化物が、分解して酸素を放出することを許容される程度まで、効力を失い得る。例えば、過酸化水素は、分解して水と酸素を形成し得る。包装システム１００は、したがって、歯科用組成物１０８の乾燥および／または失活を防止する、一つ以上の材料から有利に製造され得る。非限定的な例として、容器１０２の少なくとも一部は、酸素分子、水分子、他の気体、および／または、揮発性溶媒に実質的に不透過性である、積層重合体材料で形成され得る。コンテナは、約０．００６”（６ミル）から約０．０３０”（３０ミル）、または、約０．０１２”から約０．０２８”、または、約０．０１５”から約０．０２５”の範囲内の壁厚を有し得る。
【００６１】
あるいは、歯科用組成物１０８は、口腔機器と共に使用するための接着剤、複合材料、または、他の反応性材料であり得、それは、揮発性溶媒、および／または、一つ以上の重合性材料を含む。そのような場合、主組成物１０８は、揮発性液体または溶剤の蒸発により乾くこと、および／または、空気または酸素の存在下で、早期に反応することを許されるなら、安定性を失い得る。また、重合性材料は、ＴＥＧＭＡのような一つ以上の揮発性モノマーを含み得、それは、接着剤から蒸発し、反応性または接着強度を低下させ得る。
【００６２】
犠牲組成物１１０は、所定の位置に留まり、保管中に機器１０４へ流れないようにするため、粘着性、粘性ゲル、パテ、または、実質的に固体の組成物であり得る。非限定的な例として、犠牲組成物１１０は、さらに、固体錠剤、ペレット、または、シートとして形成され得、または、透過性または半透過性材料から形成された小箱、または、包材内に配置され得る。
【００６３】
図２Ａ−２Ｃは、口腔治療用組成物の安定性を維持するのに使用するための例示的な包装システム２００を示す。包装システム２００は、第１の容器２０２ａおよび第２の容器２０２ｂを含み、それらは、それぞれ、第１および第２の機器用窪み、または、区画２０６ａ、２０６ｂ内において、第１、第２の口腔機器（例えば、口腔治療トレー）２０４ａ、２０４ｂを、その中に保持するように設計される。機器用窪み、または、区画２０６は、有利には、移動を最小限にし、また、ヘッドスペースを低減する方法で、機器２０４を保持するように構成される。
【００６４】
任意の数のコンテナが含まれ得、それらは、図示されるように一緒に結合させられ得、または、バルク容器内に積み重ねることなどによって、接続せずに個別に包装され得ることが理解されるであろう。二つの容器２０２が、（例えば、上下歯列弓を個別に治療するための）２つの口腔治療トレー２０４を含む、口腔治療用キットを提供するために、図２Ａに示される。
【００６５】
第１および第２の口腔治療トレー２０４ａ、２０４ｂは、それぞれ、処理トレー２０４Ａ、２０４Ｂの対応する窪み内に配置された、第１および第２の口腔治療組成物２０８ａ，２０８ｂを含む。口腔治療用組成物２０８ａ、２０８ｂは、限られた空間内で蒸発し、および、蒸気を生成し得る、液体または溶媒のような、一つ以上の安定性に影響を与える物質、または、分解や主組成物中の他の成分との反応の結果、気体を放出し得る、過酸化物または他の活性剤のような気体放出性物質を含む、一つ以上の「主組成物」であると考えられ得る。主組成物２０８ａ、２０８ｂは、同じかまたは異なり得、同じかまたは異なるタイプ安定化成分を含み得、および／または、同じかまたは異なる量または濃度の安定化成分を含み得る。
【００６６】
包装システム２００は、さらに、第１の口腔治療用組成物２０８ａと流体（例えば、気体）連通するように、第１補助窪み、または、区画２１４ａ内に配置された、第１の犠牲組成物２１０ａ、および、第２の口腔治療組成物２０８ｂと流体（例えば、気体）連通するように、第２補助窪み、または、区画２１４ｂ内に配置された、第２の犠牲組成物２１０ｂを含む。犠牲組成物２１０ａ、２１０ｂは、液体、ゲルまたは固体として形成され得、それぞれ、部分的にまたは完全に、補助窪みまたは区画２１４ａ、２１４ｂを満たし得る。
【００６７】
補助窪みまたは区画２１４ａ、２１４ｂは、それぞれ、容器２０２ａ、２０２ｂの表面に形成されるように示されるが、補助窪みまたは区画２１４ａは、２１４ｂは、犠牲組成物２１０ａ、２１０ｂを、主組成物２０８ａ、２０８ｂと流体連通に置く、任意の他の構成を有し得ることが理解されるべきである。非限定的な例として、補助窪み２１４ａ、２１４ｂは、上面と下面を含み得、犠牲組成物２１０ａ、２１０ｂを露出させる開口または通路は、補助窪み２１４ａ、２１４ｂの一つ以上の側壁に形成され得る。別の非限定的な例として、犠牲組成物２１０ａ、２１０ｂによって放出される、蒸気および／または気体に対して透過性である材料が、補助窪み２１４ａ、２１４ｂを覆うために、または、犠牲組成物２１０ａ、２１０ｂを包囲するために使用され得る。
【００６８】
犠牲組成物２１０ａ、２１０ｂは、補助窪みまたは区画２１４ａ、２１４ｂ内に配置されるように，図２Ａ、２Ｂに示されるが、犠牲組成物２１０ａ、２１０ｂは、包装システム２００内の任意の位置に配置され得ることが理解されるべきである。例えば、犠牲組成物２１０ａ、２１０ｂは、それぞれ、例えば、第１および第２の処理トレー２０４Ａ、２０４Ｂの下で、機器用窪みまたは区画２０６Ａ、２０６Ｂ内に配置され得、必要に応じて透過性材料によって覆われ得る。
【００６９】
犠牲組成物２１０ａ、２１０ｂは、それぞれ、治療用組成物２０８ａ、２０８ｂと同一であり得、治療用組成物２０８ａ、２０８ｂと同一または類似の安定性に影響を与える成分を少なくとも含み得、または、歯科用組成物２０８ａ、２０８ｂより大きいか、または、同等の気化速度を有する成分を含み得る。犠牲組成物２１０ａ、２１０ｂは、限られた空間内で蒸発し、蒸気を生成する液体または溶剤、または、分解、または、犠牲組成物２１０ａ、２２１０ｂ内の他の成分との反応の結果、気体を放出し得る、過酸化物または他の活性剤のような気体放出材料を含む。犠牲組成物２１０ａ、２１０ｂは、同一または異なり、同一または異なるタイプの安定性に影響を与える成分を含み得、および／または、同一または異なる量または濃度の安定性に影響を与える成分（複数可）を含み得る。
【００７０】
図２Ｂに示されるように、包装システム２００は、さらに、取り外し可能なカバー２１２を含み、それは、空気、酸素、他の気体、水蒸気、または、揮発性物質の少なくとも一つに実質的に不透過性である一つ以上の材料から形成され得、包装容器２０２に結合または付着されると、包装容器２０２と共に密封を形成し、および、機器用窪みまたは区画２０６、補助窪みまたは区画２１４、および、接続領域２１６の組み合わせ容積に対応する、密封された内部容積をもたらす。包装システム２００の密封された内部容積は、貯蔵中、治療用組成物２０８と犠牲組成物２１０を流体（例えば、気体）連通に維持し、その結果、犠牲組成物２１０は、使用前、治療用組成物２０８の安定性を維持する助けとなり得る。機器用窪みまたは区画２０６、補助窪みまたは区画２１４、および、接続領域２１６の組合せは、図２Ａおよび図２Ｂの包装システム１００のヘッドスペースと比較して、この実施形態において、ヘッドスペースをさらに低減する効果を有する。別の言い方をすれば、それらは、組成物の容積に対するヘッドスペースの割合を減少させ得る。
【００７１】
図２Ｃに見られるように、不透明な箔材料を含み得る取り外し可能なカバー２１２ａ、２１２ｂは、剥離可能なカバーであり得る。除去する前に、取り外し可能なカバー２１２ａ、２１２ｂは、容器２０２ａと、２０２ｂの上壁の一部または全部を覆い、それによってこの部分を保護する。このことは、包装システム２００が、清浄度を維持しながら、希望どおり、積層され、貯蔵されることを可能にする。
【００７２】
図３Ａおよび３Ｂは、その中に貯蔵されている組成物の安定性および効力をさらに保持するために、貯蔵中に、包装システム３００のヘッドスペース、または、密封された内部容積をさらに最小化する、代わりの包装システム３００を示す。包装システム３００は、第１の容器半体３０２ａと、第２の対応する容器半体３０２ｂとを含み、それらは、それらのそれぞれ対向表面が一緒に封止されるとき、密封された内部容積を一緒に形成する。
【００７３】
口腔内機器（例えば、口腔治療用トレー）３０４は、第１の容器半体３０２ａ内の第１の主区画半体３０６ａと、第２の容器半体３０２ｂ内の第２の主区画半体３０６ｂによって画定された、主窪みまたは区画３０６内に配置され得る。主組成物３０８は、口腔治療用トレー３０４の窪み内に配置され、主組成物３０８の安定性に影響を与え得る、一つ以上の揮発性または気体放出成分を含む。
【００７４】
犠牲組成物３１０は、第１の容器半体３０２ａ内の第１の補助区画半体３１４ａ、および、第２容器半体３０２ｂ内の第２の補助区画半体３１４ｂによって画定される、補助窪みまたは区画３１４内に配置される。一つ以上の通路３１６が、容器半体３０２ａ、３０２ｂが一緒に結合され、密閉された内部容積を形成するとき、主区画３０６、および、補助区画３１４の間の流体（例えば、気体）連通を維持するために設けられる。犠牲組成物３１０は、主組成物３０８に含まれるのと同じまたは類似の、揮発性または気体放出成分を含み得、または、主組成物３０８のそれよりも大きな気化速度を有する、異なる揮発性または気体放出成分を含み得、それは、補助窪みまたは区画３１４から主窪みまたは区画３０６に、自由に移動し得、ヘッドスペース内において主組成物３０８によって放出される、一つ以上の蒸気および／または気体の、密封された内部容積内での平衡を達成する。
【００７５】
図４Ａおよび４Ｂは、実質的に平坦であるか、または、扁平の機器を貯蔵する際に使用するための代替的包装システム４００を示す。包装システム４００は、浅い機器用窪みまたは区画４０６内に配置された実質的に平坦な機器（例えば、帯状の障壁層）４０４を備える包装容器４０２を含む。主組成物（例えば、歯科用漂白組成物）４０８は、機器または障壁層４０４に隣接して配置される。第１犠牲組成物４１０ａは、第１の補助窪みまたは区画４１４ａ内に配置され、第１接続接続路４１６ａによって、機器用窪みまたは区画４０６と流体（例えば、気体）連通にある。第２犠牲組成物４１０ｂは、第２の補助窪みまたは区画４１４ｂ内に配置され、第２の流体接続路４１６ｂによって、機器用窪みまたは区画４０６と流体（例えば、気体）連通にある。
【００７６】
第１および第２の犠牲組成物４１０ａ、４１０ｂは、互いに同一または異なり得、および／または、主組成物４０８と同一または異なり得る。主組成物４０８が、２つまたはそれ以上の安定化成分を含む場合には、第１および第２の犠牲組成物４１０ａ、４１０ｂは、異なる安定化成分、および／または、異なる量の安定化成分を含み得る。
【００７７】
図４Ｂに示されるように、包装システム４００は、さらに、取り外し可能なカバー４１２を含み、それは、空気、酸素、水蒸気、または揮発性材料の少なくとも一つに実質的に不透過性である一つ以上の材料から形成され得、包装容器４０２上に結合され、または、付着されるとき、包装容器４０２と共に密封を形成し、および、機器用窪みまたは区画４０６の大きさに対応する、密封された内部容積をもたらす。一例として、取り外し可能なカバー４１２は、不透明な箔材料を含み得る。包装容器４０２は、それ自体は不透明であり得、または、透明または半透明であり得る。包装システム４００の密封された内部容積は、貯蔵中、主組成物４０８と犠牲組成物４１０ａ、４１０ｂを流体（例えば、気体）連通に維持し、犠牲組成物４１０ａ、４１０ｂは、使用前、主組成物４０８の安定性および／または効力を維持する手助けとなり得、したがって、主組成物４０８の貯蔵寿命を増加させる。
【００７８】
図５Ａ−５Ｃは、本明細書に開示される包装容器および包装システムを製造するのに使用され得る、様々な例示的な積層構造を示す。図５Ａは、例示的な積層重合体材料５００を示す断面図である。  積層重合体材料５００は、第１の外側層５０２、コア層５０４、および第２の外側層５０６を含むものとして示される。一実施形態によれば、コア層５０４は、良好な水および／または酸素分子の障壁特性（すなわち、水および／または酸素分子に対する低い透過性）を有する材料を含み得る。第１および第２の外側層５０２、５０６は、コア層５０４とは異なる任意の好適な重合体材料から形成され得、任意の所望の特性（例えば、コア材料５０４への良好な結合性、優れた酸素および／または水蒸気障壁性、良好な流動性、低コスト、および、これに類するもの）に応じて選択され得る。
【００７９】
例えば、外側層５０２、５０６は、ポリプロピレン（ＰＰ）から形成され得、一方、コア層５０４は、ＣＯＣから形成され得る。ポリプロピレンは、ＣＯＣに容易に結合可能であり、積層重合体フィルムに構造と容積を提供し、比較的安価である。外側層５０２、５０６材料の製造に使用するための他の材料は、これらに限定されないが、ポリエチレン（ＰＥ）、ポリ塩化ビニル（ＰＶＣ）、ポリ二塩化ビニル（ＰＶＤＣ）、または、グリコール変性ポリエチレンテレフタレート（ＰＥＴＧ）を含み得る。外側層５０２、５０６およびコア層５０４は、水と酸素分子に対する良好な障壁として機能する、複合積層体材料を形成し得る。
【００８０】
図５Ｂは、別の積層高分子材料、積層体５１０を示す断面図である。積層体５１０は、全６層を含むものとして示される。一例において、第１の三層（５１２、５１４、５１６）は、優れた酸素障壁特性を有する積層体５１０を提供する、第１の複合領域を提供し得、一方、第２の三層（５１８、５２０、５２２）は、優れた水蒸気障壁特性を有する積層体５１０を提供する、第２の複合領域を提供し得る。そのように、積層体５１０は、水蒸気と酸素気体の両方に対する有効な障壁として機能し得る（すなわち、積層体５１０は、水と酸素分子の両方に対して実質的に不透過性である。）。層の一部は、任意の望ましい特性（例えば、隣接層への良好な結合性、優れた流動特性、または、低コスト）に基づいて選択され得る。
【００８１】
別の例として、層５１２および５１６は、ポリエチレンを含み得、一方、層５３８は、エチレン−ビニルアルコール（ＥＶＯＨ）を含み得、それは、良好な酸素障壁特性を提供する（すなわち、酸素分子に対して実質的に不透過性である。）。層５１２および５１６は、ＥＶＯＨ層５１４に良好に接合させるために、ポリエチレンから形成され、積層体５１０のその部分に体積を提供する。層５２０は、良好な水蒸気障壁特性を提供するためにＣＯＣから形成され得、一方、層５１８および５２２は、ＣＯＣ層５２０に対する良好な接合性を有する、ポリプロピレンで形成され得る。ポリエチレン層５１６は、また、ポリプロピレン層５１８に対する良好な接合性を示す。説明された実施形態は、ＰＰによって包まれたＣＯＣ層、おおよび、ＰＥによって包まれたＥＶＯＨ層を含むけれども、ＣＯＣとＥＶＯＨ層は、任意の適切な材料（例えば、ＰＰ、ＰＥ、ＰＶＣ、ＰＶＤＣ、類似の材料、またはそれらの組み合わせ）によって包まれ得ることが理解されるべきである。層は、共押出しされ得、押出工程の熱を用いて、層を一緒に接合するか、または、層は、適切な接着剤を用いて一緒に接合され得る。
【００８２】
図５Ｃは、二つの層５３２および５３４を含む、別の積層重合体材料５３０を示す断面図である。一つのそのような実施形態において、第１の層５３２は、良好な酸素障壁特性を提供するように選択された材料で形成され得、一方、第２の層５３４は、良好な水分子または蒸気障壁特性を提供するように選択された材料で形成され得る。そのような実施形態の例は、ＢＡＲＥＸ、イリノイ州、ネーパーヴィルのＢＰケミカルズ社から入手できるニトリル共重合体から形成された第１の層５３２、および、ＡＣＬＡＲ、ニュージャージー州、モリスタウンのハネウェルスペシャリティフィルムスから入手できるＰＣＴＦＥから形成された第２の層５３４を含む。
【００８３】
例１
６層を有し、良好な酸素障壁性を有し、および、水分子に対して実質的に不透過性である包装容器を熱成形するのに適した積層重合体フィルムは、共押出によって形成される。個別の層の組成および厚さは、以下のとおりである。
第１層  ＰＰ  １．５ミル
第２層  ＣＯＣ  １２ミル
第３層  ＰＰ  １．５ミル
第４層  ＰＥ  １．２ミル
第５層  ＥＶＯＨ  ０．４ミル
第６層  ＰＥ  １．２ミル
機器用区画と犠牲組成物用区画または領域を有する包装容器は、積層重合体フィルムから熱成形される。機器と主組成物が、機器用区画内に配置され、犠牲組成物は、犠牲組成物用区画または領域内に配置され、および、剥離可能な箔または他の不透過性カバーが、包装容器上に接着される。密封された包装システムは、水分子、酸素、空気、および、揮発性有機物質に対して、実質的に不透過性の障壁として機能し、室温で２４ヶ月間以上保存された場合であっても、特に、犠牲組成物の存在ゆえに、容器内に密封された、主（例えば、歯科治療用）組成物が、良好な安定性を示すことを可能にする。
【００８４】
例２
６層を有し、良好な酸素障壁特性を有し、および、水分子に対して実質的に不透過性である包装容器を熱成形するのに適した積層重合体フィルムは、共押出によって形成される。個別の層の組成および厚さは、以下のとおりである。
第１層  ＰＰ  １．５ミル
第２層  ＣＯＣ  １５ミル
第３層  ＰＰ  １．５ミル
第４層  ＰＥ  １．２ミル
第５層  ＥＶＯＨ  ０．４ミル
第６層  ＰＥ  １．２ミル
機器用区画と犠牲組成物用区画または領域を有する包装容器は、積層重合体フィルムから熱成形される。機器と主組成物が、機器用区画内に配置され、犠牲組成物は、犠牲組成物用区画または領域内に配置され、および、剥離可能な箔または他の不透過性カバーが、包装容器上に接着される。密封された包装システムは、水分子、酸素、空気、および、揮発性有機物質に対して、実質的に不透過性の障壁として機能し、室温で２４ヶ月間以上保存された場合であっても、特に、犠牲組成物の存在ゆえに、容器内に密封された、主（例えば、歯科治療用）組成物が、良好な安定性を示すことを可能にする。
【００８５】
例３
６層を有し、良好な酸素障壁特性を有し、および、水分子に対して実質的に不透過性である包装容器を熱成形するのに適した積層重合体フィルムは、共押出によって形成される。個別の層の組成および厚さは、以下のとおりである。
第１層  ＰＰ  １．５ミル
第２層  ＣＯＣ  １８ミル
第３層  ＰＰ  １．５ミル
第４層  ＰＥ  １．２ミル
第５層  ＥＶＯＨ  ０．４ミル
第６層  ＰＥ  １．２ミル
機器用区画と犠牲組成物用区画または領域を有する包装容器は、積層重合体フィルムから熱成形される。器具と主組成物が、機器用区画内に配置され、犠牲組成物は、犠牲組成物用区画または領域内に配置され、および、剥離可能な箔または他の不透過性カバーが、包装容器上に接着される。密封された包装システムは、水分子、酸素、空気、および、揮発性有機物質に対して、実質的に不透過性の障壁として機能し、室温で２４ヶ月間以上保存された場合であっても、特に、犠牲組成物の存在ゆえに、容器内に密封された、主（例えば、歯科治療用）組成物が、良好な安定性を示すことを可能にする。
【００８６】
例４
３層を有し、水および揮発性の溶媒またはモノマー分子に対して実質的に不透過性である包装容器を熱成形するのに適した積層重合体フィルムは、共押出によって形成される。個別の層の組成および厚さは、以下のとおりである。
第１層  ＰＰ  １．５ミル
第２層  ＣＯＣ  １５ミル
第３層  ＰＰ  １．５ミル
機器用区画と犠牲組成物用区画または領域を有する包装容器は、積層重合体フィルムから熱成形される。機器と主組成物が、機器用区画内に配置され、犠牲組成物は、犠牲組成物用区画または領域内に配置され、および、剥離可能な箔または他の不透過性カバーが、包装容器上に接着される。密封された包装システムは、水および揮発性の溶媒またはモノマー分子に対して、実質的に不透過性の障壁として機能し、室温で２４ヶ月間以上保存された場合であっても、特に、犠牲組成物の存在ゆえに、容器内に密封された、主（例えば、歯科用接着剤）組成物が、良好な安定性を示すことを可能にする。
【００８７】
例５
３層を有し、水および揮発性の溶媒またはモノマー分子に対して実質的に不透過性である包装容器を熱成形するのに適した積層重合体フィルムは、共押出によって形成される。個別の層の組成および厚さは、以下のとおりである。
第１層  ＰＰ  １．５ミル
第２層  ＣＯＣ  １８ミル
第３層  ＰＰ  １．５ミル
機器用区画と犠牲組成物用区画または領域を有する包装容器は、積層重合体フィルムから熱成形される。機器と主組成物が、機器用区画内に配置され、犠牲組成物は、犠牲組成物用区画または領域内に配置され、および、剥離可能な箔または他の不透過性カバーが、包装容器上に接着される。密封された包装システムは、水および揮発性の溶媒またはモノマー分子に対して、実質的に不透過性の障壁として機能し、室温で２４ヶ月間以上保存された場合であっても、特に、犠牲組成物の存在ゆえに、容器内に密封された、主（例えば、歯科用接着剤）組成物が、良好な安定性を示すことを可能にする。
【００８８】
例６
７層を有し、良好な酸素障壁特性を有し、および、水分子に対して実質的に不透過性である包装容器を熱成形するのに適した積層重合体フィルムは、共押出によって形成される。個別の層の組成および厚さは、以下のとおりである。
第１層  ＰＰ  １．５ミル
第２層  ＣＯＣ  １２ミル
第３層  ＰＰ  １．５ミル
第４層  ＰＥ  １．２ミル
第５層  ＥＶＯＨ  ０．４ミル
第６層  ＰＥ  １．２ミル
第７層  ＡＣＬＡＲ  ２ミル
機器用区画と犠牲組成物用区画または領域を有する包装容器は、積層重合体フィルムから熱成形される。機器と主組成物が、機器用区画内に配置され、犠牲組成物は、犠牲組成物用区画または領域内に配置され、および、剥離可能な箔または他の不透過性カバーが、包装容器上に接着される。密封された包装システムは、水分子、酸素、空気、および、揮発性有機物質に対して、実質的に不透過性の障壁として機能し、室温で２４ヶ月間以上保存された場合であっても、特に、犠牲組成物の存在ゆえに、容器内に密封された、主（例えば、歯科治療用）組成物が、良好な安定性を示すことを可能にする。
【００８９】
例７
わずか２層を有し、良好な酸素障壁特性を有し、および、水分子に対して実質的に不透過性である包装容器を熱成形するのに適した積層重合体フィルムは、共押出によって形成される。個別の層の組成および厚さは、以下のとおりである。
第１層  ＡＣＬＡＲ  ３ミル
第２層  ＢＡＲＥＸ  １４ミル
機器用区画と犠牲組成物用区画または領域を有する包装容器は、積層重合体フィルムから熱成形される。機器と主組成物が、機器用区画内に配置され、犠牲組成物は、犠牲組成物用区画または領域内に配置され、および、剥離可能な箔または他の不透過性カバーが、包装容器上に接着される。密封された包装システムは、水分子、および、酸素に対して、実質的に不透過性の障壁として機能し、室温で２４ヶ月間以上保存された場合であっても、特に、犠牲組成物の存在ゆえに、容器内に密封された、主（例えば、歯科治療用）組成物が、良好な安定性を示すことを可能にする。
【００９０】
例８
３層を有し、水分子に対して実質的に不透過性である包装容器を熱成形するのに適した積層重合体フィルムは、冷間成形される。層の組成および厚さは、最初は、以下のとおりである。
第１層  ＰＰ  １．５ミル
第２層  ＣＯＣ  １５ミル
第３層  ＰＰ  １．５ミル
機器用区画と犠牲組成物用区画または領域を有する包装容器は、積層重合体フィルムから熱成形される。機器と主組成物が、機器用区画内に配置され、犠牲組成物は、犠牲組成物用区画または領域内に配置され、および、剥離可能な箔または他の不透過性カバーが、包装容器上に接着される。密封された包装システムは、水および揮発性の溶媒またはモノマー分子に対して、実質的に不透過性の障壁として機能し、室温で２４ヶ月間以上保存された場合であっても、特に、犠牲組成物の存在ゆえに、容器内に密封された、主（例えば、歯科用接着剤）組成物が、良好な安定性を示すことを可能にする。
【００９１】
例９
６層を有し、良好な酸素障壁特性を有し、および、水分子に対して実質的に不透過性である包装容器を熱成形するのに適した積層重合体フィルムが、形成される。個別の層の組成および厚さは、以下のとおりである。
第１層  ＰＰ  １．５ミル
第２層  ＣＯＣ  １２ミル
第３層  ＰＰ  １．５ミル
第４層  ＰＥ  １．２ミル
第５層  ＥＶＯＨ  ０．４ミル
第６層  ＰＥ  １．２ミル
機器用区画と犠牲組成物用区画または領域を有する包装容器は、積層重合体フィルムから熱成形される。機器と主組成物が、機器用区画内に配置され、犠牲組成物は、犠牲組成物用区画または領域内に配置され、および、剥離可能な箔または他の不透過性カバーが、包装容器上に接着される。密封された包装システムは、水分子、酸素、空気、および、揮発性有機物質に対して、実質的に不透過性の障壁として機能し、室温で２４ヶ月間以上保存された場合であっても、特に、犠牲組成物の存在ゆえに、容器内に密封された、主（例えば、歯科治療用）組成物が、良好な安定性を示すことを可能にする。
【００９２】
例１０
包装容器を熱成形するのに適した積層重合体フィルムは、実施例１−９の重合体層のいずれかを組みかえることによって製造される。
【００９３】
例１１
包装容器を冷間成形するのに適した積層重合体フィルムは、例１〜１０の重合体層を金属箔層で置換することによって製造される。
【００９４】
特許請求された本発明は、その精神または本質的な特徴から逸脱することなく、他の特定の形態で実施され得ることが理解されるであろう。説明された実施形態は、すべての点において、限定ではなく、単に例示として、考慮されるべきである。本発明の範囲は、したがって、前述の説明によってではなく、添付の特許請求の範囲によって示される。特許請求の範囲の意味および等価の範囲内に入るすべての変更は、その範囲内に包含されるべきである。
【図１Ａ】
2017512613.tif 000003
【図１Ｂ】
2017512613.tif 000004
【図２Ａ】
2017512613.tif 000005
【図２Ｂ】
2017512613.tif 000006
【図２Ｃ】
2017512613.tif 000007
【図３Ａ】
2017512613.tif 000008
【図３Ｂ】
2017512613.tif 000009
【図４Ａ】
2017512613.tif 000010
【図４Ｂ】
2017512613.tif 000011
【図５Ａ】
2017512613.tif 000012
【図５Ｂ】
2017512613.tif 000013
【図５Ｃ】
2017512613.tif 000014
【国際調査報告】
2017512613.tif 000015
2017512613.tif 000016
2017512613.tif 000017